(57)【要約】【課題】掃除機本体の吸込具をスタンドに載置する縦型の電気掃除機おいて、吸込具及びスタンドの清掃を簡易に行うことのできる電気掃除機を提供する。【解決手段】集塵室と、電動送風機と、電動送風機に電力を供給する充電池と、が内蔵された本体部２と、本体部２に接続され電動送風機による吸引力が作用する延長管３と、延長管３の先端部に接続された吸込具４と、を備える縦型の掃除機本体１と、掃除機本体１を直立して載置することにより充電池を充電するスタンド２０と、を備える。スタンド２０は、床面に設置される底面台座部２１と、底面台座部２１の上面よりも凹んで形成され、掃除機本体１をスタンド２０に載置した状態において吸込具が配置される載置部２１１と、を備える。そして、掃除機本体１をスタンド２０に載置した場合に、吸込具４の上面４１が底面台座部２１の上面２１２と連なるように形成されている。【選択図】図４
2015167731.tif 000002
【特許請求の範囲】
【請求項１】
集塵室と、電動送風機と、前記電動送風機に電力を供給する電力供給部と、が内蔵された本体部と、前記本体部に接続され前記電動送風機による吸引力が作用する延長管と、前記延長管の先端部に接続された吸込具と、を備える縦型の掃除機本体と、
前記掃除機本体を直立して載置するスタンドと、を備え、
前記スタンドは、
床面に設置される底面台座部と、
前記底面台座部の上面よりも凹んで形成され、前記掃除機本体を前記スタンドに載置した状態において前記吸込具が配置される載置部と、を備え、
前記掃除機本体を前記スタンドに載置した場合に、前記吸込具の上面が前記底面台座部の上面と連なるように形成されて成る電気掃除機。
【請求項２】
前記スタンドは、前記底面台座部から直立して立設された支柱部を含み、
前記載置部には前記吸込具と係合して位置決めを行う係合部が設けられ、
前記支柱部は、前記吸込具が前記係合部に係合された状態で前記掃除機本体を直立させた場合に、前記延長管又は前記本体部を支持するように構成されて成る請求項１に記載の電気掃除機。
【請求項３】
前記載置部は、前記底面台座部の前方側の縁部を含む領域に段差状に形成されて成る請求項１又は請求項２に記載の電気掃除機。
【請求項４】
前記載置部は、前記底面台座部の前方側の縁部よりも後方の領域に凹溝状に形成されて成る請求項１又は２に記載の電気掃除機。
【請求項５】
前記掃除機本体を前記スタンドに載置した場合に、前記吸込具の側面が当該底面台座部の側面と連なるように形成されて成る請求項３又は請求項４に記載の電気掃除機。
【請求項６】
前記載置部の前方側の側壁は、前記載置部の底面に対して鈍角となる方向に傾斜して成る請求項４に記載の電気掃除機。
【請求項７】
前記載置部の前方側の縁部から当該載置部の側に向かって延伸可能に構成されたフラップ部材を更に備える請求項６に記載の電気掃除機。
【請求項８】
前記掃除機本体が前記スタンドに載置されたことを受けて前記フラップ部材を延伸させる延伸手段を更に備える請求項７に記載の電気掃除機。
【発明の詳細な説明】
【技術分野】
【０００１】
この発明は、電気掃除機に係り、特にスタンドを備えた縦型の電気掃除機に関する。
【背景技術】
【０００２】
従来、例えば特許文献１には、蓄電池を備えた掃除機本体と、蓄電池を充電するための充電台と、を備える電気掃除機が開示されている。この電気掃除機の充電台には、掃除機本体を載置するための載置部が形成されており、当該載置部に掃除機本体の吸込具を載置することにより掃除機本体に内蔵された蓄電地の充電が行われる。
【先行技術文献】
【特許文献】
【０００３】
【特許文献１】特開２００３−９３３０１号公報
【発明の概要】
【発明が解決しようとする課題】
【０００４】
ところで、上記従来の電気掃除機のように、充電を行うスタンドを備える縦型の電気掃除機は、スタンドに掃除機本体が載置された状態で置かれているため、掃除機本体の吸込具及びスタンドの上には空気中の埃等が次第に堆積する。上記従来の電気掃除機では、吸込具及びスタンドの上が複雑な形状を有しているため、この上面を簡易に掃除することができないという課題がある。
【０００５】
この発明は、上述の課題を解決するためになされたもので、掃除機本体の吸込具をスタンドに載置する縦型の電気掃除機おいて、吸込具及びスタンドの清掃を簡易に行うことのできる電気掃除機を提供することを目的とする。
【課題を解決するための手段】
【０００６】
この発明に係る電気掃除機は、集塵室と、電動送風機と、電動送風機に電力を供給する電力供給部と、が内蔵された本体部と、本体部に接続され電動送風機による吸引力が作用する延長管と、延長管の先端部に接続された吸込具と、を備える縦型の掃除機本体と、掃除機本体を直立して載置するスタンドと、を備え、スタンドは、床面に設置される底面台座部と、底面台座部の上面よりも凹んで形成され、掃除機本体をスタンドに載置した状態において吸込具が配置される載置部と、を備え、掃除機本体をスタンドに載置した場合に、吸込具の上面が底面台座部の上面と連なるように形成されて成るものである。
【発明の効果】
【０００７】
この発明によれば、掃除機本体の吸込具をスタンドに載置する縦型の電気掃除機において、掃除機本体の吸込具の上面とスタンドの底面台座部の上面とが連なるように構成されているので、吸込具及びスタンドの清掃を簡易に行うことが可能となる。
【図面の簡単な説明】
【０００８】
【図１】本発明の実施の形態１における掃除機本体の斜視図である。
【図２】図１に示す掃除機本体が載置されるスタンドの構成を示す斜視図である。
【図３】掃除機本体をスタンドに載置する動作を説明するための図である。
【図４】本発明の実施の形態１における電気掃除機の全体構成を示す図である。
【図５】本発明の実施の形態２の電気掃除機の全体構成を示す図である。
【図６】本発明の実施の形態３の電気掃除機の構成を説明するための図である。
【図７】図６に示すスタンドのＡ−Ａ断面図である。
【図８】本発明の実施の形態３の電気掃除機において、スタンドに掃除機本体を載置した際の動作を説明するための図である。
【発明を実施するための形態】
【０００９】
以下、図面を参照してこの発明を実施するための形態について説明する。なお、各図中において、同一又は相当する部分には同一の符号を付して、重複する説明は適宜に簡略化ないし省略する。
【００１０】
実施の形態１．
図１は、本発明の実施の形態１における掃除機本体の斜視図である。この図に示すように、掃除機本体１は、縦型の電気掃除機であって、塵埃を捕集する集塵室（図示せず）と、吸引力を発生させる電動送風機（図示せず）と、電動送風機へ電力を供給する電力供給部としての充電池（図示せず）と、を内蔵した本体部２を備えている。集塵室は図示しない旋回室を介して延長管３に連通している。延長管３の先端部には吸込具４が接続されている。延長管３は吸込具４との接続部を支点として前後に揺動可能に接続されている。なお、以下の説明では、掃除機本体１を押し進める方向を前方向として前後方向を規定し、直立した掃除機本体１の前方向に向かって上下左右の方向を規定することとする。
【００１１】
このような縦型の電気掃除機では、使用者は掃除機本体１の本体部２の取っ手（図示せず）を把持して清掃を行う。電動送風機が駆動されると、延長管３に吸引力が作用し吸込具４から空気とともに塵埃が吸入される。吸入された空気と塵埃は延長管３を通って本体部２に流通する。本体部２では、旋回室において空気と塵埃とが分離されて、塵埃のみが集塵室へ集塵される。
【００１２】
次に、スタンドの構成について説明する。図２は、図１に示す掃除機本体が載置されるスタンドの構成を示す斜視図である。この図に示すように、スタンド２０は、掃除機本体１が載置されるスタンドとして機能と、当該掃除機本体１の充電池を充電する充電器としての機能と、を兼ね備えたものである。スタンド２０は、床面に設置される底面台座部２１と、当該底面台座部２１に直立して支持された柱状の支柱部２２とから構成されている。スタンド２０は図示しない電源ケーブルによって外部電源に接続されており、掃除機本体１がスタンド２０に載置されることにより両者が電気的に接続されて充電池が充電される仕組みになっている。底面台座部２１の前方側の縁部を含む領域には、掃除機本体１の吸込具４が載置されるための載置部２１１が形成されている。載置部２１１は底面台座部２１の上面２１２に対して段差状に凹んで形成されている。載置部２１１には、吸込具４と係合して当該吸込具４の位置決めを行うための係合部としての突起２１３が設けられている。支柱部２２の前面両側には、掃除機本体１の延長管３の側面をガイドするためのガイド部２２１が設けられている。
【００１３】
掃除機本体１はスタンド２０に着脱自在に載置される。図３は、掃除機本体をスタンドに載置する動作を説明するための図である。なお、図３では、説明の都合上吸込具４を透視して示している。掃除機本体１をスタンド２０に載置する場合には、先ず、吸込具４がスタンド２０の載置部２１１に載置される。この際、載置部２１１に設けられた突起２１３が吸込具４の凹部（図示せず）に係合されて吸込具４の前後及び左右の配置が定まる。次に、本体部２が延長管３と吸込具４との接続部を支点として支柱部２２の方向へと揺動される。この際、延長管３は支柱部２２の両側面に形成されたガイド部２２１によって揺動方向が一方向に規制される。そして、本体部２が直立するまで揺動されると、本体部２の下面が支柱部２２の上面２２２により支持される。このように、本実施の形態の電気掃除機によれば、掃除機本体１の吸込具４をスタンド２０の載置部２１１へ載置し、掃除機本体１を支柱部２２の方向に揺動させるという簡易な動作のみによって、掃除機本体１をスタンド２０に容易に載置することが可能となる。
【００１４】
図４は、本発明の実施の形態１における電気掃除機の全体構成を示す図である。この図に示すように、本実施の形態１の電気掃除機は、掃除機本体１をスタンド２０に載置した状態において、底面台座部２１の上面２１２と吸込具４の上面４１とが連なるように構成されている。このような構成としては、例えば、底面台座部２１の上面２１２と吸込具４の上面４１とが同一面で構成されていればよい。このような構成によれば、底面台座部２１の上面２１２と吸込具４の上面４１との境界に凹凸が形成されないので、これらの面の清掃作業を容易に行うことができる。また、上記構成によれば、底面台座部２１と吸込具４との間に凹凸が形成されないので、電気掃除機の意匠性を向上させることも可能となる。
【００１５】
また、図４に示す電気掃除機では、底面台座部２１の上面２１２だけでなく、底面台座部２１の側面及び前面についても吸込具４の側面及び前面と連なるように形成されている。このような構成によれば、底面台座部２１の側面及び前面と吸込具４の側面及び前面との境界に関しても凹凸が形成されないので、清掃作業性及び意匠性をさらに向上させることができる。
【００１６】
ところで、上述した実施の形態１の電気掃除機では、底面台座部２１の上面、側面及び前面が吸込具４の上面、側面及び前面と連なるように構成されることとした。しかしながら、埃が最も堆積し易いのは底面台座部２１の上面２１２であるため、少なくとも底面台座部２１の上面２１２が吸込具４の上面４１と連なるように構成されていれば、清掃作業性の向上という効果を奏することが可能となる。
【００１７】
また、上述した実施の形態１の電気掃除機では、掃除機本体１に電力供給部としての充電池が内蔵されているが、掃除機本体１に内蔵される電力供給部はこれに限られない。すなわち、掃除機本体１は、電力供給部として交流電源を内蔵し、掃除機本体１が電源ケーブルによって外部電源に接続される構成としてもよい。この場合、スタンド２０は、充電器としての機能を有する必要はなく、スタンドとしての機能を有していればよい。このような構成においても、底面台座部２１の上面２１２と吸込具４の上面４１とを連なるように構成することにより、上述した実施の形態１の電気掃除機と同様の効果を奏することができる。
【００１８】
また、上述した実施の形態１では、旋回室を備えたサイクロン式の電気掃除機を例に説明したが、電気掃除機の種類はこれに限られず、紙パック式の電気掃除機でもよい。
【００１９】
実施の形態２．
次に、図５を参照して本発明の実施の形態２について説明する。図５は、本発明の実施の形態２の電気掃除機の全体構成を示す図である。この図に示すように、本実施の形態２のスタンド２０は、底面台座部２１の前方側の縁部よりも後方の領域に、吸込具４の前後を挟むように凹溝状に形成された載置部２１４を備えている。また、載置部２１４の前方側の側壁２１５は載置部２１４の底面に対して鈍角となるように傾斜している。このような構成によれば、凹状に形成された載置部２１４の開口端が拡がるので、掃除機本体１の吸込具４をスタンド２０の載置部２１４に載置し易い電気掃除機とすることができる。また、本実施の形態２の電気掃除機によれば、吸込具４の前後を挟むように載置部２１４が形成されているので、載置した吸込具４にズレが生じることを有効に抑制することができる。
【００２０】
実施の形態３．
次に、本発明の実施の形態３について説明する。図５に示すように、載置部２１４の前方側の側壁２１５が傾斜して構成される場合、掃除機本体１のスタンド２０への載置容易性は向上するものの、掃除機本体１を載置した際に前方側の側壁２１５と吸込具４との間に隙間が生じてしまう。
【００２１】
そこで、本実施の形態３の電気掃除機では、掃除機本体１をスタンド２０へ載置した場合に、載置部２１４と吸込具４との間の隙間を塞ぐための構成を備えることとしている。図６は、本発明の実施の形態３の電気掃除機の構成を説明するための図である。また、図７は、図６に示すスタンドのＡ−Ａ断面図である。これらの図に示すように、本実施の形態３のスタンド２０では、載置部２１４の前方側の側壁がフラップ部材３０によって構成されている。フラップ部材３０は載置部２１４の前方側の側壁を構成する側壁形成部３０１と、当該側壁形成部３０１の上端から底面台座部２１の上面の内部に延びたフラップ部３０２と、を備え、載置部２１４の底面の前端の支点３０３に回動自在に支持されている。また、フラップ部材３０は、載置部２１４の底面から突出したスイッチ部材３１とリンク部材３０４を介して接続されており、スイッチ部材３１の上下動に対応してフラップ部材３０が回動されることにより、フラップ部３０２が載置部２１４の縁部から当該載置部２１４の側に向かって延伸可能に構成されている。つまり、フラップ部材３０およびスイッチ部材３１は、吸込具４がスタンド２０に載置されたことを受けてフラップ部３０２を延伸させる延伸手段として機能する。
【００２２】
図８は、本発明の実施の形態３の電気掃除機において、スタンドに掃除機本体を載置した際の動作を説明するための図である。図６〜図８に示すように、吸込具４が載置部２１４へ載置されると、スイッチ部材３１が押圧されてフラップ部材３０が側壁形成部３０１と吸込具４との隙間を埋める方向に回動する。これにより、フラップ部３０２が引き出されるので、側壁形成部３０１と吸込具４との隙間が埋められる。
【００２３】
このように、上述した実施の形態３の電気掃除機によれば、吸込具４と載置部２１４との間の隙間を埋めることができるので、掃除機本体１の吸込具４をスタンド２０の載置部２１４に載置し易い電気掃除機とすると共に、機能性及び清掃性に優れた電気掃除機を提供することが可能となる。
【００２４】
ところで、本実施の形態３の電気掃除機では、スイッチ部材３１とフラップ部材３０とを機械的に接続してスイッチ部材３１の動作に応じてフラップ部材３０を動作させることとした。しかしながら、フラップ部材３０を動作させる方法はこれに限られず、例えば、フラップ部材３０を動作させるアクチュエータを設け、掃除機本体１がスタンド２０に載置される動作に応じて当該アクチュエータを作動させることとしてもよい。
【符号の説明】
【００２５】
１  掃除機本体、２  本体部、３  延長管、４  吸込具、２０  スタンド、２１  底面台座部、２２  支柱部、３０  フラップ部材、３１  スイッチ部材、４１  吸込具の上面、２１１  載置部、２１２  底面台座部の上面、２１３  突起（係合部）、２１４  載置部、２１５  側壁、２２１  ガイド部、２２２  支柱部の上面、３０１  側壁形成部、３０２  フラップ部、３０３  支点、３０４  リンク部材
【図１】
2015167731.tif 000003
【図２】
2015167731.tif 000004
【図３】
2015167731.tif 000005
【図４】
2015167731.tif 000006
【図５】
2015167731.tif 000007
【図６】
2015167731.tif 000008
【図７】
2015167731.tif 000009
【図８】
2015167731.tif 000010